(57)【要約】【課題】外観をすっきりさせるとともにコストを低減することのできる誘導灯を提供する。【解決手段】箱状の器具本体１と、器具本体１の前面上端部に配設されて複数の白色発光ダイオード２０を収納する長尺箱状の光源部２と、上端縁部が光源部２に取り付けられて光源部２からの光を上端縁部より導入して前面から放出する略矩形状の導光板３と、導光板３の前面に配設される表示パネル７と、充電可能な非常用電源ＢＴと、非常用電源ＢＴからの電力供給を受けて白色発光ダイオード２に点灯電力を供給する非常用点灯回路４１と、非常用電源ＢＴの充電状態を表示する緑色発光ダイオード５０を有する充電用表示部５とを備え、緑色発光ダイオード５０を、光源部２に収納するとともに導光板３の端縁部に光を照射するように配設した。【選択図】図１
2009205857.tif 000002
【特許請求の範囲】
【請求項１】
箱状の器具本体と、器具本体の一端部に配設されて一乃至複数の発光ダイオードを収納する箱状の光源部と、端縁部が光源部に取り付けられて光源部からの光を端縁部より導入して前面から放出する導光板と、導光板の前面に配設されて前面に誘導表示用の図柄が施された表示パネルと、充電可能な非常用電源と、商用電源からの電力供給を受けて光源部の発光ダイオードに点灯電力を供給する常用点灯回路と、商用電源からの電力供給を受けて非常用電源を充電する充電回路と、非常用電源からの電力供給を受けて光源部の発光ダイオードに点灯電力を供給する非常用点灯回路と、光源部の発光ダイオードと異なる発光色を有し非常用電源の充電状態を表示する発光ダイオードを有する充電用表示部とを備え、充電用表示部の発光ダイオードは、光源部に収納されるとともに導光板の端縁部に光を照射するように配設されることを特徴とする誘導灯。
【請求項２】
前記光源部には、光源部の発光ダイオード及び充電用表示部の発光ダイオードと異なる発光色を有し光源部の発光ダイオードの異常を表示する発光ダイオードを有する異常用表示部が収納され、表示パネルの図柄は、少なくとも白色を含んだ２色以上の色から成り、異常用表示部の発光ダイオードは、その照射光が導光板の端縁部より導入されて表示パネルの図柄の白色部分に照射されるように配設されることを特徴とする請求項１記載の誘導灯。
【請求項３】
前記充電用表示部の発光ダイオードは、その照射光が表示パネルの図柄の白色以外の色の部分に照射されるように配設されるとともに、その照射光が前記白色以外の色と略同じ色で且つ互いに異なる色調であることを特徴とする請求項１又は２記載の誘導灯。
【発明の詳細な説明】
【技術分野】
【０００１】
本発明は、誘導灯に関する。
【背景技術】
【０００２】
従来から、日本国内における誘導灯は日本照明器具工業会規格ＪＩＬ５５０２に基づいて製造されている。このＪＩＬ５５０２では、非常時に用いられる非常用電源が正しく充電されているか否かを視認することのできる緑色の充電用表示部を誘導灯に設けることを義務付けている。また、上記規格とは別に誘導灯の光源の寿命などの異常を視認することのできる赤色発光ダイオードを有する異常用表示部を設けた誘導灯が広く知られており、例えば特許文献１に開示されているようなものがある。
【０００３】
この従来例は、図５に示すように、一面を開口した略直方体状の器具本体１００と、矩形状の表示パネル１０１ａを有し器具本体１００の前記開口の大部分を覆う表示ユニット１０１と、光源である直管形の冷陰極蛍光灯（図示せず）を有し器具本体１００の前記開口のうち表示ユニット１０１により覆われていない残りの部分を覆うように配設されたランプユニット１０２とを備えている。器具本体１００内には、商用電源（図示せず）からの電力供給を受けて冷陰極蛍光灯を点灯させる点灯装置（図示せず）と、商用電源の停電時に点灯装置へ給電するための蓄電池から成る非常用電源（図示せず）とが配設されている。このため、通常時には商用電源により給電されて冷陰極蛍光灯を点灯させ、商用電源の停電時には非常用電源により給電されて冷陰極蛍光灯を点灯させるようになっている。
【０００４】
器具本体１００の図５における右下端には、強制的に点灯装置への商用電源の給電を遮断して非常用電源で点灯するか否かの確認を行うための押釦からなる点検スイッチ１０３ａと、非常用電源又は冷陰極蛍光灯の状態を表示する赤色発光ダイオードから成る異常用表示部１０３ｂと、非常用電源の充電状態を表示する緑色発光ダイオードから成る充電用表示部１０３ｃと、点検スイッチ１０３ａ及び各モニタ１０３ｂ，１０３ｃの発光ダイオードが実装されたプリント配線板より成る回路基板（図示せず）とから構成された点検ユニット１０３が配設されている。
【０００５】
ここで、異常用表示部１０３ｂでは、赤色発光ダイオードが点灯している時は冷陰極蛍光灯の寿命やランプ外れ等の異常を示し、点滅している時は非常用電源又は冷陰極蛍光灯が交換時期にあることを示し、消灯している時は、正常であることを示している。充電用表示部１０３ｃでは、緑色発光ダイオードが消灯している時は非常用電源が充電されていないことを示し、点灯している時には正常であることを示している。
【０００６】
また、近年では、誘導灯の小型化、長寿命化、省電力化などを図るために、冷陰極蛍光灯の代わりに複数の発光ダイオードを光源とした誘導灯が提供されており、例えば特許文献２に開示されている。
【特許文献１】特開２００１−３５１４１７号公報
【特許文献２】特開２００４−２６５８１３号公報
【発明の開示】
【発明が解決しようとする課題】
【０００７】
しかしながら、特許文献１に記載のものでは、点検スイッチ１０３ａ、異常用表示部１０３ｂの赤色発光ダイオード、充電用表示部１０３ｃの緑色発光ダイオードが何れも器具本体１００の外側に露設されるので、誘導灯の外観がすっきりしないという問題があった。また、点検スイッチ１０３ａ及び各モニタ１０３ｂ，１０３ｃを設置するための構造が必要であるため、コストが増大するという問題があった。
【０００８】
本発明は、上記の点に鑑みて為されたもので、外観をすっきりさせるとともにコストを低減することのできる誘導灯を提供することを目的とする。
【課題を解決するための手段】
【０００９】
請求項１の発明は、上記目的を達成するために、箱状の器具本体と、器具本体の一端部に配設されて一乃至複数の発光ダイオードを収納する箱状の光源部と、端縁部が光源部に取り付けられて光源部からの光を端縁部より導入して前面から放出する導光板と、導光板の前面に配設されて前面に誘導表示用の図柄が施された表示パネルと、充電可能な非常用電源と、商用電源からの電力供給を受けて光源部の発光ダイオードに点灯電力を供給する常用点灯回路と、商用電源からの電力供給を受けて非常用電源を充電する充電回路と、非常用電源からの電力供給を受けて光源部の発光ダイオードに点灯電力を供給する非常用点灯回路と、光源部の発光ダイオードと異なる発光色を有し非常用電源の充電状態を表示する発光ダイオードを有する充電用表示部とを備え、充電用表示部の発光ダイオードは、光源部に収納されるとともに導光板の端縁部に光を照射するように配設されることを特徴とする。
【００１０】
請求項２の発明は、請求項１の発明において、光源部には、光源部の発光ダイオード及び充電用表示部の発光ダイオードと異なる発光色を有し光源部の発光ダイオードの異常を表示する発光ダイオードを有する異常用表示部が収納され、表示パネルの図柄は、少なくとも白色を含んだ２色以上の色から成り、異常用表示部の発光ダイオードは、その照射光が導光板の端縁部より導入されて表示パネルの図柄の白色部分に照射されるように配設されることを特徴とする。
【００１１】
請求項３の発明は、請求項１又は２の発明において、充電用表示部の発光ダイオードは、その照射光が表示パネルの図柄の白色以外の色の部分に照射されるように配設されるとともに、その照射光が前記白色以外の色と略同じ色で且つ互いに異なる色調であることを特徴とする。
【発明の効果】
【００１２】
請求項１の発明によれば、充電用表示部の発光ダイオードを光源部に収納して導光板の端縁部に光を照射するように配設したので、充電用表示部を器具本体の外側に露設させる必要がなく、したがって誘導灯をすっきりした外観にすることができる。また、光源部に充電用表示部の発光ダイオードを配設することから光源部を光源部の発光ダイオードと共用できるので、充電用表示部を設置するための構造を必要とせず、コストを削減することができる。
【００１３】
請求項２の発明によれば、表示パネルの図柄の白色部分に異常用表示部の発光ダイオードからの照射光が照射されるので、異常用表示部の発光ダイオードからの照射光の色を表示パネルの白色以外の部分の色に邪魔されることなく明瞭に表示することができる。
【００１４】
請求項３の発明によれば、充電用表示部からの照射光によって表示パネルの図柄の表示を妨げることがなく、且つ色調が異なることから表示パネルの図柄の表示と充電用表示部の表示とを混同することなく視認することができる。
【発明を実施するための最良の形態】
【００１５】
以下、本発明に係る誘導灯の実施形態について図面を用いて説明する。但し、以下の説明では、図１（ａ）における上下左右を上下左右方向、紙面手前側を前方向、紙面奥側を後方向と定めるものとする。本実施形態は、図１（ａ），（ｂ）に示すように、箱状の器具本体１と、器具本体１の前面上端部に配設されて複数（図示では７つ）の白色発光ダイオード２０が実装された基板（図示せず）を収納する長尺箱状の光源部２と、上端縁部が光源部２に取り付けられて光源部２からの光を上端縁部より導入して前面から放出する略矩形状の導光板３と、導光板３の前面に配設される表示パネル７とを備える。
【００１６】
器具本体１には、図２に示すように、充電可能な非常用電源ＢＴと、商用電源ＡＣからの電力供給を受けて光源部２の白色発光ダイオード２０に点灯電力を供給する常用点灯回路４０と、非常用電源ＢＴからの電力供給を受けて光源部２の白色発光ダイオード２０に点灯電力を供給する非常用点灯回路４１とが収納される。
【００１７】
非常用電源ＢＴは、例えばニッケル・カドミウム電池、ニッケル水素電池、リチウムイオン電池などの二次電池から成る。尚、本実施形態では非常用電源ＢＴとして二次電池を採用しているが、充電可能であれば二次電池に限定される必要はなく、例えば電気二重層コンデンサのような蓄電素子を用いても構わない。
【００１８】
常用点灯回路４０は、商用電源ＡＣからの交流電圧を整流する整流回路４０ａと、整流回路４０ａからの脈流電圧を平滑化する平滑回路４０ｂとから成り、平滑回路４０ｂから出力される直流電圧を光源部２の白色発光ダイオード２０、及び白色発光ダイオード２０と並列に接続されて各白色発光ダイオード２０を流れる電流を監視することで各白色発光ダイオード２０の寿命や故障などの異常を検出する検出回路６１、並びに後述する異常用表示部６に供給する。尚、整流回路４０ａ、平滑回路４０ｂ、検出回路６１については周知であるので、ここでは詳細な説明を省略するものとする。
【００１９】
非常用点灯回路４１は、商用電源ＡＣからの交流電圧を降圧して整流平滑化する降圧回路４１ａと、降圧回路４１ａからの直流電圧を受けて非常用電源ＢＴを充電させる充電回路４１ｂと、非常用電源ＢＴからの直流電圧を交流電圧に変換して昇圧した後に整流平滑化する昇圧回路４１ｃとから成り、昇圧回路４１ｃからの出力される直流電圧を光源部の白色発光ダイオード２０及び後述する異常用表示部６に供給する。尚、降圧回路４１ａ、充電回路４１ｂ、昇圧回路４１ｃについては周知であるので、ここでは詳細な説明を省略するものとする。
【００２０】
光源部２には、非常用電源ＢＴの充電状態を表示する緑色発光ダイオード５０を有する充電用表示部５と、光源部２の白色発光ダイオード２０の寿命や故障等の異常を表示する赤色発光ダイオード６０から成る異常用表示部６とが配設され、緑色発光ダイオード５０及び赤色発光ダイオード６０は、光源部２の白色発光ダイオード２０が実装される基板の一端部に実装される。尚、緑色発光ダイオード５０には充電回路４１ｂを介して点灯電力が供給され、赤色発光ダイオード６０には検出回路６１を介して点灯電力が供給される。
【００２１】
導光板３は、例えばアクリル樹脂等の透光性を有する樹脂材料から略平板状に形成され、その上端面は光源部２の各発光ダイオード２０，５０，６０からの光が入射する入射面、前面は導光板３内部を通過した光が出射する出射面となっている。また、出射面と対向する導光板３の内側後面には、図示しないが光を反射する反射シートが貼付されている。
【００２２】
表示パネル７は、例えばアクリル樹脂等の透光性を有する樹脂材料から略平板状に形成され、その前面には、緑色で人型に象られた部位７０ａ、及び人型の部位を覆う白色で扉型に象られた部位７０ｂ、及び扉型の部位を覆う緑色の部位７０ｃから成る誘導表示用の図柄７０が施されている。尚、前記図柄７０は、避難口である旨又は避難すべき方向を明示するシンボルであって、日本照明器具工業会規格ＪＩＬ５５０２に規定する表示面の要件を満たしたものである。
【００２３】
以下、本実施形態の動作について説明する。商用電源ＡＣが通電している通常時では、商用電源ＡＣからの交流電圧が常用点灯回路４０において直流電圧に変換されて光源部２に供給され、白色発光ダイオード２０が発光する。同時に、商用電源ＡＣからの交流電圧が降圧回路４１ａで所定電圧の直流電圧に変換されて充電回路５に供給され、非常用電源ＢＴが充電される。商用電源ＡＣが停電すると、常用点灯回路４０から光源部２へ電圧が供給されなくなり、同時に、充電回路４１ｂによって非常用電源ＢＴと非常用点灯回路４１の昇圧回路４１ｃとが接続されるため、非常用電源ＢＴからの直流電圧が非常用点灯回路４１において昇圧及び平滑化されて光源部２に供給され、白色発光ダイオード２０が消灯することなく発光し続ける。
【００２４】
また、本実施形態では充電用表示部５が設けられているので、非常用電源ＢＴが停電時に白色発光ダイオード２０を所定時間点灯させる程度に充電されると緑色発光ダイオード５０が発光するようになっている。更に、異常用表示部６が設けられているので、例えば寿命や故障などの異常によって一定数の白色発光ダイオード２０が点灯しない状態を検出回路６１で検出し、赤色発光ダイオード６０を発光させて異常を報知するようになっている。
【００２５】
上述のように、充電用表示部５の緑色発光ダイオード５０を光源部２に収納して導光板３の端縁部に光を照射するように配設したので、充電用表示部５を器具本体１の外側に露設させる必要がなく、したがって誘導灯をすっきりした外観にすることができる。また、光源部２に充電用表示部５の発光ダイオード５０を配設することから光源部２を光源部２の白色発光ダイオード２０と共用できるので、各モニタ５，６専用の回路基板などの各モニタを設置するための構造を必要とせず、コストを削減することができる。
【００２６】
また、異常用表示部６の赤色発光ダイオード６０からの照射光が表示パネル７に照射されるので、従来例のように器具本体１の下端部に異常用表示部を配設した場合と比較して白色発光ダイオード２０の異常などをより確実に使用者に報知することができる。尚、異常用表示部６の赤色発光ダイオード６０は、図３に示すように、その照射光が表示パネル７の図柄７０の白色部位７０ｂに照射されるように配設するのが望ましい。このような構成にすることで、異常用表示部６の赤色発光ダイオード６０からの照射光の色を表示パネル７の白色以外の部位の色に邪魔されることなく明瞭に表示することができる。
【００２７】
ここで、白色発光ダイオード２０の異常を検出して異常用表示部６０の赤色発光ダイオード６０が発光した際に、白色発光ダイオード２０を交換するまで発光を継続させると誘導灯本来の表示の妨げとなる虞がある。そこで、例えば交換までに要する期間を考慮して３日程度の間だけ赤色発光ダイオード６０を消灯させるスイッチ（図示せず）を設けても構わない。尚、スイッチを操作してから規定された期間を過ぎると再度赤色発光ダイオード６０が点灯する。
【００２８】
また、充電用表示部５の緑色発光ダイオード５０は、図４に示すように、その照射光が表示パネル７の図柄７０の白色部位７０ｂ以外の部位に照射されるように配設し、その発光色が照射される部位と互いに異なる色調であるのが望ましい。このような構成にすることで、充電用表示部５からの照射光によって表示パネル７の図柄７０の表示を妨げることがなく、且つ色調が異なることから表示パネル７の図柄７０の表示と充電用表示部５の表示とを混同することなく視認することができる。
【図面の簡単な説明】
【００２９】
【図１】本発明に係る誘導灯の実施形態を示す表示パネルを省略した図で、（ａ）は正面図で、（ｂ）は側面図である。
【図２】同上の回路構成を示すブロック図である。
【図３】同上の異常用表示部の赤色発光ダイオードの配置を示す正面図である。
【図４】同上の充電用表示部の緑色発光ダイオードの配置を示す正面図である。
【図５】従来の誘導灯を示す全体斜視図である。
【符号の説明】
【００３０】
１  器具本体
２  光源部
２０  発光ダイオード（白色）
３  導光板
４０  常用点灯回路
４１  非常用点灯回路
４１ｂ  充電回路
５  充電用表示部
５０  発光ダイオード（緑色）
７  表示パネル
７０  図柄
ＡＣ  商用電源
ＢＴ  非常用電源
【図１】
2009205857.tif 000003
【図２】
2009205857.tif 000004
【図３】
2009205857.tif 000005
【図４】
2009205857.tif 000006
【図５】
2009205857.tif 000007